(57)【要約】【課題】  布団やベッドに隣接させて畳や床等に配置するものであって、布団やベッドの内側まで把持部を位置させることができる起き上がり動作用補助具の提供。【解決手段】  パイプ製支柱に、略コ字状のパイプ製把持部材を縦向きに接続して組み立てられる手摺本体と、前記手摺本体の支柱下端部を垂直に外嵌保持する支柱受部を立設したベース部とからなる起き上がり動作用補助具であって、前記支柱受部は、前記パイプ製支柱の回り止め・抜け止め機構を備え、前記手摺本体には、前記略コ字状のパイプ製把持部材の高さ調節機構と水平方向の回転角度調節機構が設けられていることを特徴とする。【選択図】図１
0003156002.tif 000002
【実用新案登録請求の範囲】
【請求項１】
少なくとも１本のパイプ製支柱に、１本のパイプを屈曲させて形成した略コ字状のパイプ製把持部材を縦向きに接続して組み立てられる手摺本体と、前記手摺本体の支柱下端部を垂直に外嵌保持する支柱受部を立設したベース部とからなる起き上がり動作用補助具であって、前記支柱受部は、前記パイプ製支柱の回り止め・抜け止め機構を備え、前記手摺本体には、前記略コ字状のパイプ製把持部材の高さ調節機構と水平方向の回転角度調節機構が設けられていることを特徴とする起き上がり動作用補助具。
【請求項２】
前記支柱受部は、プラスチック製の筒体と、該筒体の上部に相重ねられた前記プラスチック製筒体とほぼ同一径の弾性材製筒体を前記ベース部にボルト・ナットにて固定して構成し、かつ、前記パイプ製支柱の内周面に管軸方向に形成した少なくとも一条の凸部に、前記プラスチック製の筒体および弾性材製筒体の外周面に設けた溝部が凹凸嵌合する手段と、前記ボルトを締め付けることにより前記弾性材製筒体が圧縮されてその外周面がパイプ製支柱の内周面に圧接する手段とで、前記支柱受部に外嵌されたパイプ製支柱の回り止め・抜け止め機構を構成してなる請求項１に記載の起き上がり動作用補助具。
【請求項３】
前記略コ字状のパイプ製把持部材の高さ調節機構と水平方向の回転角度調節機構は、前記パイプ製支柱の側面に高さ方向に間隔を置いて穿設した複数個のロック孔に出没自在に当該支柱内部に弾性支持されたプッシュボタンと、前記略コ字状のパイプ製把持部材の両端部に取付けられ前記パイプ製支柱にスライド可能に外嵌された、円周上に所望の間隔を隔てて形成した複数の凹溝を有する継手部材とからなり、前記継手部材の凹溝に前記プッシュボタンが嵌合することによりパイプ製把持部材が所定の高さおよび所定の回転角度にロックされる仕組みとなしたことを特徴とする請求項１または２に記載の起き上がり動作用補助具。
【考案の詳細な説明】
【技術分野】
【０００１】
本考案は、主に介護・福祉の分野で使用される立ち上がり・起き上がり動作用補助具に係り、より詳しくは老齢者や下肢・腰の弱い人等、身体の不自由な障害者や病弱者の、布団やベッドからの起き上がりを補助するための起き上がり動作用補助具に関する。
【背景技術】
【０００２】
従来の起き上がり動作用補助具としては、例えば図７に示すようにほぼ直線部１０−２を形成したフレーム１０−１の前記対向直線部間に、継手１０−４を介して横桟１０−３を所要高さ間隔で連結した本体１０と、ほぼ中央に前記フレーム１０−１の直線部の下端を支承する受部１１−１をほぼ垂直に立設したベース１１とから構成されたものが知られている（特許文献１、２参照）。この種の起き上がり動作用補助具を使用する場合は、例えば図８に示すように本体１０の横桟１０−３を布団１２の端縁と平行に位置させ、ベース１１の平面部を布団１２の下に本体１０が当るまで差し込む。そして、例えば下肢・腰の弱い人（図面省略）が寝ていた布団１２から起き上がる場合は、一方の腕で上段の横桟１０−３を掴んだ後、上体を起しながら他方の腕を支えにして、さらには他方の腕で下段の横桟１０−３を支えにして起き上がる。また、ベッドの場合も前記と同様に、本体１０の横桟１０−３をベッド（図示せず）の端縁と平行に位置させ、ベース１１の平面部をベッドの下に本体１０が当るまで差し込む。そして、前記と同様の動作を行ってベッドから起き上がる。
【先行技術文献】
【特許文献】
【０００３】
【特許文献１】実用新案登録第３１２７５４２号
【特許文献２】実用新案登録第３０３４５３６号
【考案の概要】
【考案が解決しようとする課題】
【０００４】
しかしながら、上記従来の補助具は、以下に記載する問題がある。
すなわち、図７に示す従来の補助具の場合、使用に際してはその使用状態を図８に示すように、布団の場合もベッドの場合も同様に、本体１０の横桟１０−３を布団１２またはベッドの端縁と平行に位置させ、ベース１１の平面部を布団１２またはベッドの下に本体１０が当るまで差し込んで使用するため、その補助具の横桟１０−３は常に布団１２またはベッドの端縁に位置し、布団１２やベッドから起き上がる場合はその都度、補助具の横桟１０−３を掴める位置まで体を移動させなければならないという不便さがある。またその場合、例えば病弱者等は、介護者が側や近くにいる場合は体を動かしてもらって補助具の位置まで移動できるからよいが、介護者が側や近くにいない場合は自力で補助具の位置まで移動することは困難であり、補助具を十分に活用することができない。
【０００５】
本考案は、上記従来の問題点に鑑み創案されたものであり、布団やベッドに隣接させて畳や床等に配置するものであって、布団やベッドの内側まで把持部を位置させることができる起き上がり動作用補助具を提案しようとするものである。
【課題を解決するための手段】
【０００６】
本考案に係る起き上がり動作用補助具は、少なくとも１本のパイプ製支柱に、１本のパイプを屈曲させて形成した略コ字状のパイプ製把持部材を縦向きに接続して組み立てられる手摺本体と、前記手摺本体の支柱下端部を垂直に外嵌保持する支柱受部を立設したベース部とからなる起き上がり動作用補助具であって、前記支柱受部は、前記パイプ製支柱の回り止め・抜け止め機構を備え、前記手摺本体には、前記略コ字状のパイプ製把持部材の高さ調節機構と水平方向の回転角度調節機構が設けられていることを特徴とするものである。
また、この起き上がり動作用補助具において、前記支柱受部は、プラスチック製の筒体と、該筒体の上部に相重ねられた前記プラスチック製筒体とほぼ同一径の弾性材製筒体を前記ベース部にボルト・ナットにて固定して構成し、かつ、前記パイプ製支柱の内周面に管軸方向に形成した少なくとも一条の凸部に、前記プラスチック製の筒体および弾性材製筒体の外周面に設けた溝部が凹凸嵌合する手段と、前記ボルトを締め付けることにより前記弾性材製筒体が圧縮されてその外周面がパイプ製支柱の内周面に圧接する手段とで、前記支柱受部に外嵌されたパイプ製支柱の回り止め・抜け止め機構を構成するものである。
さらに、この起き上がり動作用補助具における前記略コ字状のパイプ製把持部材の高さ調節機構と水平方向の回転角度調節機構は、前記パイプ製支柱の側面に高さ方向に間隔を置いて穿設した複数個のロック孔に出没自在に当該支柱内部に弾性支持されたプッシュボタンと、前記略コ字状のパイプ製把持部材の両端部に取付けられ前記パイプ製支柱にスライド可能に外嵌された、円周上に所望の間隔を隔てて形成した複数の凹溝を有する継手部材とからなり、前記継手部材の凹溝に前記プッシュボタンが嵌合することによりパイプ製把持部材が所定の高さおよび所定の回転角度にロックされる仕組みとなしたことを特徴とするものである。
【考案の効果】
【０００７】
本考案の起き上がり動作用補助具は、以下に記載する効果を奏する。
（１）．ベースに立設された手摺本体の略コ字状のパイプ製把持部材を布団またはベッドの内側に位置させることができるので、布団やベッドから起き上がる場合、体を布団やベッドの縁まで移動させることなく、ほとんどその位置で自力で容易に起き上がることができる。したがって、介護者は病弱者等に付きっきりで手助けする手間や時間を省くことができる。
（２）．補助具は、手摺本体の主構成部材であるパイプ製支柱の回り止め・抜け止め機構を備えているので、使用中にパイプ製支柱が不用意に回転したり外れたりすることがなく、安全性に富む。
（３）．手摺本体は、略コ字状のパイプ製把持部材の高さ調節機構と水平方向の回転角度調節機構を備えているので、パイプ製把持部材を使用者に合わせて適正な高さおよび向きに簡単に設定することができ、便利である。また、前記略コ字状のパイプ製把持部材の高さ調節機構と水平方向の回転角度調節機構は、プッシュボタンロック方式等を採用することにより構造簡単にしてその操作も簡易迅速に行うことができる。
（４）．構成部材が比較的少なくて済むので、構造が簡単でコストも安価につく。また、保管や持ち運びにも便利である。
【図面の簡単な説明】
【０００８】
【図１】本考案に係る起き上がり動作用補助具の一実施例を示す斜視図である。
【図２】同上起き上がり動作用補助具の手摺本体の支柱付根部を拡大して示す縦断面図である。
【図３】図２のイ−イ線上の断面図である。
【図４】同じく手摺本体の支柱と把持部材の接続部の一部を拡大して示す側面図である。
【図５】同上把持部材のロック機構を示す拡大縦断面図である。
【図６】同上起き上がり動作用補助具の使用状態の一例を示す説明図である。
【図７】従来の起き上がり動作用補助具の一例を示す概略図である。
【図８】同上の起き上がり動作用補助具の使用状態を示す概略図である。
【考案を実施するための形態】
【０００９】
図１は本考案に係る起き上がり動作用補助具の一実施例を示す斜視図、図２は同上起き上がり動作用補助具の手摺本体の支柱付根部を拡大して示す縦断面図、図３は図２のイ−イ線上の断面図、図４は同じく手摺本体の支柱と把持部材の接続部の一部を拡大して示す側面図、図５は同上把持部材のロック機構を示す拡大縦断面図、図６は同上起き上がり動作用補助具の使用状態の一例を示す説明図であり、１は手摺本体、１−１はパイプ製支柱、１−２は略コ字状のパイプ製把持部材、１−３は継手部材、１−４は支柱受部、２はベース、３は布団である。
【００１０】
図１に示す本考案に係る起き上がり動作用補助具は、外径がほぼ３８ｍｍ程度の合成樹脂製またはスチール製のパイプからなるパイプ製支柱１−１と、該パイプ製支柱１−１に高さ調節可能にかつ水平方向に回転角度調節可能にスライド式の継手部材１−３を介して縦向きに取付けられた外径がほぼ３２ｍｍ程度の合成樹脂製またはスチール製のパイプからなる略コ字状のパイプ製把持部材１−２とで構成された手摺本体１と、該手摺本体１の支柱下端部を垂直に外嵌保持する支柱受部１−４を立設したマット状のベース２とで構成されている。前記略コ字状のパイプ製把持部材１−２は、１本のパイプを折り曲げて作られている。
【００１１】
前記手摺本体１の支柱下端部を垂直に外嵌保持する支柱受部１−４は、図２および図３に拡大して示すように、台座部１−４ａ−１を有するプラスチック製筒体１−４ａと、該プラスチック製筒体とほぼ同一径の弾性材製筒体（ゴム製）１−４ｂと、該プラスチック製筒体１−４ａおよび弾性材製筒体１−４ｂを貫通する締結ボルト１−４ｃおよび締付けナット１−４ｄとで構成され、前記ベース２の所定の位置に該支柱受部１−４を配置し、ベース２の裏面側から締結ボルト１−４ｃおよび締付けナット１−４ｄを締めることで該支柱受部１−４がベース２に固定されるようになっている。ここで、前記弾性材製筒体１−４ｂを用いたのは、後述するようにパイプ製支柱１−１の抜け止めのためである。また、前記パイプ製支柱１−１の内周面には管軸方向に二条の凸部１−１ａが、前記プラスチック製筒体１−４ａおよび弾性材製筒体１−４ｂの外周面には、前記凸部１−１ａが凹凸嵌合する溝部１−４ａ−２、１−４ｂ−２が、それぞれ形成されている。これは、後述するようにパイプ製支柱１−１の回り止めのためである。
【００１２】
前記支柱受部１−４に手摺本体１を固定する場合は、ベース２に固定された支柱受部１−４に、前記パイプ製支柱１−１の内周面に管軸方向に形成した二条の凸部１−１ａに、前記プラスチック製筒体１−４ａおよび弾性材製筒体１−４ｂの外周面に設けた溝部１−４ａ−２、１−４ｂ−２が凹凸嵌合するようにパイプ製支柱１−１を外嵌した後、ベース２の裏面側から締結ボルト１−４ｃをさらに締付けてパイプ製支柱１−１を固定する。この時、前記弾性材製筒体１−４ｂはプラスチック製筒体１−４ａとの間で圧縮されて横に広がり、その外周面がパイプ製支柱１−１の内周面に圧接するようになっている。
【００１３】
すなわち、本考案では、前記パイプ製支柱１−１の内周面に管軸方向に形成した二条の凸部１−１ａと弾性材製筒体１−４ｂの外周面に設けた溝部１−４ａ−２、１−４ｂ−２との凹凸嵌合手段（回り止め）と、弾性材製筒体１−４ｂが圧縮されて横に広がることでパイプ製支柱１−１の内周面に圧接する手段とで、該支柱受部１−４に垂直に外嵌されたパイプ製支柱１−１の回り止め・抜け止め機構を構成している。なお、支柱受部１−４をベース２に固定する場合は、例えばベース２に複数個の孔２−１を予め設けておき、プラスチック製筒体１−４ａの台座部１−４ａ−１に予め形成した凸部１−４ａ−３を前記各孔２−１に差し込んで支柱受部１−４を固定するようにすれば、支柱受部１−４をより堅固にベース２に固定することができる。
【００１４】
また、前記手摺本体１の構成部材であるパイプ製支柱１−１に上下２個の継手部材１−３を介して高さ方向にスライド可能に、かつ水平方向に回動可能に取付けられた略コ字状のパイプ製把持部材１−２の、前記高さ調節機構と水平方向の回転角度調節機構は、パイプ製支柱１−１の側面に高さ方向に間隔を置いて穿設された複数個のロック孔１−１ｂと、該パイプ製支柱１−１の内部にばね１−６にて弾性支持されて前記各ロック孔１−１ｂに出没自在に取付けられたプッシュボタン１−５と、前記下側の継手部材１−３の下端円周上に例えば１８０度の範囲に４５度刻みに形成した５個の凹溝１−３ａとで構成され、前記略コ字状のパイプ製把持部材１−２を高さ方向にスライドさせて継手部材１−３の凹溝１−３ａに前記プッシュボタン１−５を嵌合させることにより該パイプ製把持部材１−２の高さ方向の移動と水平方向の回転がロックされる機構となしている。したがって、かかる機構によれば、前記パイプ製支柱１−１に穿設したロック孔１−１ｂと、継手部材１−３に形成した凹溝１−３ａを選択設定することにより略コ字状のパイプ製把持部材１−２の高さ位置と、水平方向の回転角度を簡易迅速に調節することができる（図４、５参照）。
【００１５】
上記構成の起き上がり動作用補助具を例えば図６に示すように、布団３に使用する場合は、手摺本体１の略コ字状のパイプ製把持部材１−２をプッシュボタン１−５により所定の高さ位置にロックするとともに、該パイプ製把持部材１−２を通常は布団３の内側に向くように水平方向の位置をロックした状態で、該補助具のベース２の平面部を布団３の下にパイプ製支柱１−１が当るまで差し込む。このように補助具をセットすることにより、病弱者等が寝ていた布団３から起き上がる場合は、ほぼその位置で布団３の内側に位置しているパイプ製把持部材１−２を掴んで上体を起しながら起き上がることができる。
したがって、上記構成の起き上がり動作用補助具によれば、布団３から起き上がる場合、体を布団３の縁まで移動させることなく、ほとんどその位置で自力で容易に起き上がることができる。
【産業上の利用可能性】
【００１６】
本考案に係る起き上がり動作用補助具は、ベースに立設された手摺本体の略コ字状のパイプ製把持部材を布団またはベッドの内側に位置させることができるので、布団やベッドから起き上がる場合、体を布団やベッドの縁まで移動させることなく、ほとんどその位置で自力で容易に起き上がることができるので、介護者は病弱者等に付きっきりで手助けする手間や時間を省くことができ、また、この補助具は、手摺本体の主構成部材であるパイプ製支柱の回り止め・抜け止め機構を備えているので、使用中にパイプ製支柱が不用意に回転したり外れたりすることがなく、安全性に富み、更に、手摺本体は、略コ字状のパイプ製把持部材の高さ調節機構と水平方向の回転角度調節機構を備えているので、該パイプ製把持部材を使用者に合わせて適正な高さおよび向きに簡単に設定することができ、便利であり、その上、略コ字状のパイプ製把持部材の高さ調節機構と水平方向の回転角度調節機構は、プッシュボタンロック方式等を採用することにより構造簡単にしてその操作も簡易迅速に行うことができ、また、構成部材が比較的少なくて済むので、構造が簡単でコストも安価につくのみならず、保管や持ち運びにも便利である等、極めて実用性に富む。
【符号の説明】
【００１７】
１  手摺本体
１−１  パイプ製支柱
１−１ａ  凸部
１−１ｂ  ロック孔
１−２  コ字状のパイプ製把持部材
１−３  継手部材
１−３ａ  凹溝
１−４  支柱受部
１−４ａ  プラスチック製筒体
１−４ａ−１  台座部
１−４ａ−２、１−４ｂ−２  溝部
１−４ａ−３  凸部
１−４ｂ  弾性材製筒体
１−４ｃ  締結ボルト
１−４ｄ  締付けナット
１−５  プッシュボタン
１−６  ばね
２  ベース
２−１  孔
３  布団
【図１】
0003156002.tif 000003
【図２】
0003156002.tif 000004
【図３】
0003156002.tif 000005
【図４】
0003156002.tif 000006
【図５】
0003156002.tif 000007
【図６】
0003156002.tif 000008
【図７】
0003156002.tif 000009
【図８】
0003156002.tif 000010
【手続補正書】
【提出日】平成21年10月7日(2009.10.7)
【手続補正１】
【補正対象書類名】図面
【補正対象項目名】全図
【補正方法】変更
【補正の内容】
【図１】
0003156002.tif 000011
【図２】
0003156002.tif 000012
【図３】
0003156002.tif 000013
【図４】
0003156002.tif 000014
【図５】
0003156002.tif 000015
【図６】
0003156002.tif 000016
【図７】
0003156002.tif 000017
【図８】
0003156002.tif 000018